(57)【特許請求の範囲】
【請求項１】
電気機器を収納する容器に設けられた開口部と、
前記開口部を閉塞する放圧板と、
前記開口部を囲むように前記放圧板と前記容器間に設けられたＯリングと、
前記放圧板を前記容器に固定する帯板と、
前記放圧板の外側に点溶接の固定部で固定された補強部材とを備え、
前記補強部材を前記開口部の内周の幅よりも僅かに長くし、前記固定部を前記開口部の中央部としたことを特徴とするガス絶縁機器の放圧装置。
【発明の詳細な説明】
【技術分野】
【０００１】
本発明の実施形態は、容器内に絶縁ガスを封入したガス絶縁キュービクルのようなガス絶縁機器の放圧装置に関する。
【背景技術】
【０００２】
従来、容器内に六弗化硫黄ガスのような絶縁ガスを封入したガス絶縁機器には、短絡事故などで内部圧力が異常に上昇したとき、容器の破損や飛散を防止するため、容器外に圧力上昇した内部ガスを放出する放圧装置が設けられている（例えば、特許文献１参照。）。
【０００３】
この種の放圧装置は、図４に示すように、遮断器などの電気機器を収納した方形体の容器１の背面などの所定の位置に放圧装置２が設けられている。放圧装置２は、図５に示すように、厚さ１０ｍｍ程度のフランジ板３に設けられた矩形状の開口部４と、この開口部４を閉塞する厚さ１〜２ｍｍの矩形状の放圧板５と、開口部４を囲むように設けられたOリング６と、放圧板５をフランジ板３に固定する板状の帯板７とを有し構成されている。
【０００４】
帯板７は、一側辺が放圧板５に係止され、他側辺がボルト８でフランジ板３に固定されている。放圧板５の三辺はそれぞれ帯板７で固定されているが、残りの一辺はボルト８で直接、フランジ板３に固定されている。
【０００５】
これにより、容器１内で圧力上昇が起きると、板厚の薄い放圧板５が最初に膨らむように変形を始め、帯板７の一側辺から外れる。すると、開口部４が開放され、圧力上昇した内部ガスを放出し、容器１の破損や飛散を防ぐことができる。また、放圧板５の一辺は、ボルト８で固定されているため、三辺が帯板７から外れても飛散することはない。
【先行技術文献】
【特許文献】
【０００６】
【特許文献１】特開２０１０−９８８３９号公報
【発明の概要】
【発明が解決しようとする課題】
【０００７】
上記の従来のガス絶縁機器の放圧装置においては、次のような問題がある。  
容器１に絶縁ガスを封入するときには、真空ポンプを接続し、一旦、容器１内を所定の真空度の真空状態とする。そして、ガスボンベを接続し、所定の圧力まで絶縁ガスを封入する。このとき、放圧装置２においても、容器１と同様に、真空状態時に外側から約１気圧の圧力を受ける。特に、放圧板５は、薄板で形成されているため、この負圧に耐え得るようにしなければならず、開口部４を含めた放圧板５の面積を大きくすることが困難であった。
【０００８】
一方、短絡事故などで内部圧力が上昇したときには、短時間で放出しなければならず、開口部４を含めた放圧板５の面積を大きくすることが望まれていた。しかしながら、真空状態時の負圧にも耐え得るようにしなければならず、圧力上昇した内部ガスの放出効率を向上させることが困難であった。
【０００９】
本発明は上記問題を解決するためになされたもので、開口部を含む放圧板の面積を大きくし、内部圧力上昇時に短時間で内部ガスを放出することが可能なガス絶縁機器の放圧装置を提供することを目的とする。
【課題を解決するための手段】
【００１０】
上記目的を達成するために、実施形態のガス絶縁機器の放圧装置は、電気機器を収納する容器に設けられた開口部と、前記開口部を閉塞する放圧板と、前記開口部を囲むように前記放圧板と前記容器間に設けられたＯリングと、前記放圧板を前記容器に固定する帯板と、前記放圧板の外側に点溶接の固定部で固定された補強部材とを備え、前記補強部材を前記開口部の内周の幅よりも僅かに長くし、前記固定部を前記開口部の中央部としたことを特徴とする。
【図面の簡単な説明】
【００１１】
【図１】本発明の実施例１に係るガス絶縁機器の放圧装置の構成を示す正面図。
【図２】本発明の実施例１に係るガス絶縁機器の放圧装置の動作を説明する断面図。
【図３】本発明の実施例２に係るガス絶縁機器の放圧装置の構成を示す正面図。
【図４】ガス絶縁機器の外形形状を示す斜視図。
【図５】従来のガス絶縁機器の放圧装置の構成を示す正面図。
【発明を実施するための形態】
【００１２】
以下、図面を参照して本発明の実施例を説明する。
【実施例１】
【００１３】
先ず、本発明の実施例１に係るガス絶縁機器の放圧装置を図１、図２を参照して説明する。図１は、本発明の実施例１に係るガス絶縁機器の放圧装置の構成を示す正面図、図２は、本発明の実施例１に係るガス絶縁機器の放圧装置の動作を説明する断面図である。なお、図１、図２において、従来と同様の構成部分については、同一符号を付した。ガス絶縁機器の外形形状は、従来と同様であるので、説明を省略する。
【００１４】
図１に示すように、放圧装置２は、厚さ１０ｍｍ程度のフランジ板３に設けられた矩形状の開口部４と、この開口部４を閉塞する厚さ１〜２ｍｍの矩形状の放圧板５と、開口部４を囲むように放圧板５とフランジ板３間に設けられたOリング６と、放圧板５をフランジ板３に固定する板状の帯板７と、放圧板５の外側であって開口部４の中央部にスポット溶接などによる点溶接の固定部１０で固定された補強部材１１とを有し構成されている。フランジ板３は、容器１の一部となる。
【００１５】
補強部材１１は、開口部４の内周の幅よりも僅かに長く、軽量化や強度面から断面コ字状となっているが、板状、棒状でもよい。帯板７は、一側辺が放圧板５に係止され、他側辺がボルト８でフランジ板３に固定されている。放圧板５の三辺はそれぞれ帯板７で固定されているが、残りの一辺はボルト８で直接、フランジ板３に固定されている。
【００１６】
次に、補強部材１１の作用について、図２を参照して説明する。
【００１７】
先ず、絶縁ガスを封入するために容器１内を真空状態にしたときには、図２（ａ）に示すように、放圧板５が図示下方向の圧力を受ける。しかしながら、放圧板５は、補強部材１１の両端が開口部４端部に引っ掛かり、更に、中央部が点溶接の固定部１０で固定されているので、図示下方向への変形を防ぐことができる。即ち、放圧板５の容器１内方向への変形を防止する。点溶接は、円状、楕円状、帯状のいずれでもよく、負圧に耐え得る所定の溶接強度を有する。
【００１８】
次に、内部圧力上昇があったときには、図２（ｂ）に示すように、放圧板５が図示上方向に変形するとともに、補強部材１１も固定部１０を頂点にして、図示上方向に移動する。更に圧力が上昇すると、放圧板５の一辺が帯板７から外れ、開口部４から内部ガスを外部に放出する。これは、補強部材１１に影響を受けず、従来と同様の放圧となる。
【００１９】
これにより、放圧の動作に影響を与えることなく、真空状態時の放圧板５の変形を防ぐことができるので、開口部４を含めた放圧板５の面積を大きくすることができる。このため、内部ガスを短時間で外部に放出することができ、容器１の破損、飛散などを防ぐことができる。
【００２０】
なお、補強部材１１は、開口部４の幅よりも短くても、補強部材１１自体にある程度の面積を有しているので、容器１内方向の変形を防止することができる。また、固定部１０は、開口部４の中央部が放圧板５の変形に与える影響が少なく最もよいものの、内側に設けていれば、変形を防ぐことができ、放圧の動作に与える影響も抑えられる。
【００２１】
上記実施例１のガス絶縁機器の放圧装置によれば、放圧板５の外側に補強部材１１を点溶接の固定部１０で固定しているので、真空状態時に、放圧板５が容器１内方向に変形しようとしても補強部材１１で変形を防止することができる。このため、開口部４を含めた放圧板５の面積を大きくすることができ、内部圧力上昇時の内部ガスの放出効率を向上させることができる。
【実施例２】
【００２２】
次に、本発明の実施例２に係るガス絶縁機器の放圧装置を図３を参照して説明する。図３は、本発明の実施例２に係るガス絶縁機器の放圧装置の構成を示す正面図である。なお、この実施例２が実施例１と異なる点は、飛散防止がバーを設けたことである。図３において、実施例１と同様の構成部分においては、同一符号を付し、その詳細な説明を省略する。
【００２３】
図３に示すように、補強部材１１の外側には、断面コ字状の飛散防止カバー１２をボルト８で固定している。飛散防止カバー１２は、放圧板５の変形に影響を与えないような高さを有している。
【００２４】
上記実施例２のガス絶縁機器の放圧装置によれば、実施例１による効果のほかに、補強部材１１の飛散防止をすることができる。
【００２５】
以上述べたような実施形態によると、真空状態を経て加圧状態となる放圧装置において、開口部を含めた放圧板の面積を大きくすることができ、内部圧力上昇時の内部ガスの放出効率を向上させることができる。
【００２６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、および変更を行うことができる。これら実施形態やその変形は、発明の範囲や要旨に含まれるとともに、特許請求の範囲に記載された発明とその均等の範囲に含まれる。
【符号の説明】
【００２７】
１  容器
２  放圧装置
３  フランジ板
４  開口部
５  放圧板
６  Ｏリング
７  帯板
８  ボルト
１０  固定部
１１  補強部材
１２  飛散防止カバー
【図１】
0005627406.tif 000002
【図２】
0005627406.tif 000003
【図３】
0005627406.tif 000004
【図４】
0005627406.tif 000005
【図５】
0005627406.tif 000006